(57)【要約】      （修正有）【課題】ファイバードラムの上部開口から、容易に脱落することなく、確実に上部開口に対して被着可能な紙蓋を提供する。【解決手段】紙蓋２０は、全体紙製の大径円板体の下面に対し垂下される一定の首下長さＴ１を有する環状体２３、さらにその内側に小径円板体２２を被着して形成される。環状体２３と小径円板体２２のそれぞれは、その中心を大径円板体の中心に対応させた状態でその下面に被着され、外周側面部２４と内周側面部２５をそれぞれ備えるものとしている。【選択図】図４
0003151356.tif 000002
【実用新案登録請求の範囲】
【請求項１】
紙製円筒体の上部開口縁部を、外巻きに曲げて形成されるリング状部を備えたファイバードラムにあって、該ファイバードラムの上部開口を閉塞可能とし、全体紙製の円板状からなるファイバードラム用の紙蓋において、
リング状部を含むファイバードラムの上部開口の直径と略同等の直径からなり、外周縁部をリング状部上に対応させて載置し、ファイバードラムの上部開口の全体を上方より被覆して上部開口を閉塞可能とする全体紙製の大径円板体と、
大径円板体の中心とその中心を対応させた状態で、大径円板体の下面に対して同心円状に被着され、被着される大径円板体の下面に対し垂下される一定の首下長さを有し、外周側面部と内周側面部をそれぞれ備えた全体紙製の円筒状からなり、大径円板体の外周縁部をファイバードラムの上部開口のリング状部上に対応させて載置し、大径円板体によりファイバードラムの全体を上方より被覆して上部開口を閉塞する状態において、ファイバードラムの上部開口に挿入され、該上部開口の内周部に外周側面部を周接可能とされる環状体と、
大径円板体の中心とその中心を対応させた状態で、大径円板体の下面に対して同心円状に被着され、大径円板体の下面に被着される環状体の中心を通る内周側面部間の直径と略同等の直径とされて、大径円板体の下面に被着される状態において、同じく大径円板体の下面に被着される環状体の内周側面部とのその外周部を周接可能とし、環状体を大径円板体の下面において位置決めする全体紙製の小径円板体と、
を備えたファイバードラム用の紙蓋。
【請求項２】
請求項１において、大径円板体の外周縁部をファイバードラムの上部開口のリング状部上に対応させて載置し、大径円板体によりファイバードラムの全体を上方より被覆して上部開口を閉塞する状態において、
重ね合わされて載置される大径円板体の外周縁部とファイバードラムのリング状部、さらにファイバードラムの外周部に当接する断面コ字形状のものとされ、外方より囲繞する状態でこれらの部分を緊締する緊締リングにより、その閉塞状態を保持させるものとし、この状態における緊締リングのファイバードラムの外周部に対する当接位置の下端に対し、ファイバードラムの上部開口の内周部に周接され、大径円板体の下面に対し垂下される環状体の外周側面部の下端位置が同等かそれ以上の下方に位置されるように、被着状態における大径円板体の下面に対し、垂下される環状体の首下長さＴ１を設定させることとしたファイバードラム用の紙蓋。
【考案の詳細な説明】
【技術分野】
【０００１】
本考案は、内部に食品、薬品等を収容可能とする全体紙製からなる円筒形状のファイバードラムにあって、該ファイバードラムの上部開口に被着して該開口を閉塞可能とし、全体紙製からなるファイバードラム用の紙蓋に関する。
【背景技術】
【０００２】
内部に食品、薬品等を収容する容器として、最近では、ファイバードラムと呼称される全体紙製からなる円筒形の容器が多く用いられている。すなわち、ファイバートラムは全体紙製であるため、使用後においてリサイクルが可能である他、木製の容器のように輸出入の際に燻蒸処理を要求させることがなく、全体軽量であるため、極めて使い勝手がよいものとされる。
【０００３】
こうした全体紙製のオールファイバーからなるファイバードラムには、様々なタイプのものがあり、その１つとして出願人は従来、図５に示すようにして成形し、製造する下記特許文献１に示すファイバードラムの提案を行っている。
【先行技術文献】
【特許文献】
【０００４】
【特許文献１】特開２００２−３０７５７９
【０００５】
このファイバードラム１は、先ず図５（Ａ）に示すように上部開口２の開口縁部を外巻きに曲げて形成されるリング状部３を備えた紙製円筒体４を加工し形成される。ここで紙製円筒体４は、ロール状のクラフト紙を円柱形の型ロールに巻き付けて形成され、またリング状部３に関しては、開口縁部を型に押付け、外巻きにして熱処理することにより形成される。
【０００６】
次いで紙製円筒体４の下側の開口５の下部開口縁５ａに多数の切り込み６を形成する（図５（Ｂ）参照）。そしてこの切り込み６によって形成される下部開口縁５ａの周縁片７を紙製円筒体４の内側へほぼ直角に折り曲げ、これら折り曲げられた周縁片７を上下から挟むように円板状の底上板８および底下板９（それぞれ板紙製）を接着して圧着する（図５（Ｃ）参照）。
【０００７】
こうして図５（Ｄ）に示すように紙製円筒体４の上部開口２の縁部を、外巻きに曲げて形成されるリング状部３を備えた有底円筒形からなるファイバードラム１が製造されることとなり、該ファイバードラム１の上部開口２は、全体紙製の円板状からなるファイバードラム用の紙蓋１０にて閉塞可能とされる。
【０００８】
全体円板状からなる紙蓋１０は、リング状部３を含むファイバードラム１の上部開口２の直径と略同等の直径Ｄ１からなる大径円板体１１の下面に、上部開口２の直径Ｄ２と略同等の直径Ｄ２からなる小径円板体１２を、接着剤を塗布する状態で、同心円状に貼着して形成される（図６、図７参照）。
【０００９】
こうして形成される紙蓋１０により、ファイバードラム１０の紙製円筒体４の上部開口２を閉塞する場合、図８に示すように大径円板体１１の外周縁部をリング状部３上に対応させて載置し、小径円板体１２を上部開口２の内周部に嵌合させるようにして、上部開口２の全体を上方より被覆して行うこととしている。
【００１０】
こうして上部開口２を閉塞して紙蓋１０が、ファイバードラム１０に被着されることとなり、この被着状態を保持させるために、一般に図５（Ｄ）に示すような金属製の緊締リング１３を用いることとしている。緊締リング１３は緊締レバー１４を矢印方向に操作することで縮径可能とされるものであり、こうした縮径により図８の２点鎖線から実線に示すように重ね合わされて載置される紙蓋１０の大径円板体１１の外周縁部とファイバードラム１のリング状部３、さらにファイバードラム１の外周部に当接し、外方より囲繞する状態でこれらの部分を緊締するようにしている。このため、緊締リング１３は、緊締レバー１４の操作による縮径状態において、これら重ね合わされる大径円板体１１の外周縁部とファイバードラム１の外周部を、その上下位置で位置決めし、当接して嵌合可能な断面コ字形状のものとされる。
【００１１】
こうして図８に示すように緊締リング１３により、紙蓋１０のファイバードラム１の上部開口２に対する被着状態が保持され、紙蓋１０による開口２の閉塞状態が保持されることとなる。また紙蓋１０を上部開口２より開ける際には、緊締レバー１４を先とは逆に開放操作し、緊締リング１３を図８の２点鎖線に示すように拡径させることにより行うことができる。
【００１２】
ところで、図８に示すように緊締リング１３によりファイバードラム１の上部開口２に対し、紙蓋１０が被着された状態が保持された状態においては、たとえ輸送中や搬送中にファイバードラム１の全体に外力が加わる状態においても、紙蓋１０が上部開口２から容易に離脱してはならないことは勿論である。
【００１３】
しかしながら、従来、図９に示すように緊締リング１３により紙蓋１０が上部開口２に緊締されたファイバードラム１を、斜め４５度にした状態で高さ１ｍの位置から落下する落下テストを実施した場合、床面に矢印Ａ方向に衝突した際の衝撃により、ファイバードラム１の上部開口２の部分において、矢印Ｂ方向の変則的荷重がドラム１の側方に加わり、紙蓋１０が緊締リング１３とともにファイバードラム１の上部開口２から外れて脱落する事態が生じ易いものとされた。
【００１４】
すなわち、こうした現象は、図８に示すようにファイバードラム１の紙製円筒体４の上方において、矢印Ｂ方向の変則的な側面方向の衝撃荷重がファイバードラム１に加わることに基づき、紙蓋１０の小径円板体１２の周縁と上部開口２の内周部との嵌合が解除されることに基づいて生じるものとされていた。特に紙蓋１０が嵌合されるファイバードラム１の上部開口２の内周部は、外周側においてリング状部３が存在して外方にカールされているため、その分小径円板体１２の外周部との接触面積が小さく、少しの衝撃が加わることで紙蓋１０が開口２から外れる現象が生じていた。出願人はこうした現象が生じることなく、しかも全て紙材で形成される蓋付きのファイバードラムの利点を生かすことのできる紙蓋の開発を試行錯誤に基づき行ってきた次第である。
【考案の概要】
【考案が解決しようとする課題】
【００１５】
そこで本考案は、ファイバードラムの上部開口から、容易に脱落することなく、確実に上部開口に対して被着可能な紙蓋を提供することを目的としている。
【課題を解決するための手段】
【００１６】
上記目的を達成するため、本考案の請求項１は、紙製円筒体の上部開口縁部を、外巻きに曲げて形成されるリング状部を備えたファイバードラムにあって、該ファイバードラムの上部開口を閉塞可能とし、全体紙製の円板状からなるファイバードラム用の紙蓋において、リング状部を含むファイバードラムの上部開口の直径と略同等の直径からなり、外周縁部をリング状部上に対応させて載置し、ファイバードラムの上部開口の全体を上方より被覆して上部開口を閉塞可能とする全体紙製の大径円板体と、大径円板体の中心とその中心を対応させた状態で、大径円板体の下面に対して同心円状に被着され、被着される大径円板体の下面に対し垂下される一定の首下長さを有し、外周側面部と内周側面部をそれぞれ備えた全体紙製の円筒状からなり、大径円板体の外周縁部をファイバードラムの上部開口のリング状部上に対応させて載置し、大径円板体によりファイバードラムの全体を上方より被覆して上部開口を閉塞する状態において、ファイバードラムの上部開口に挿入され、該上部開口の内周部に外周側面部を周接可能とされる環状体と、大径円板体の中心とその中心を対応させた状態で、大径円板体の下面に対して同心円状に被着され、大径円板体の下面に被着される環状体の中心を通る内周側面部間の直径と略同等の直径とされて、大径円板体の下面に被着される状態において、同じく大径円板体の下面に被着される環状体の内周側面部とのその外周部を周接可能とし、環状体を大径円板体の下面において位置決めする全体紙製の小径円板体と、を備えることとしている。
【００１７】
また本考案の請求項２は、請求項１において、大径円板体の外周縁部をファイバードラムの上部開口のリング状部上に対応させて載置し、大径円板体によりファイバードラムの全体を上方より被覆して上部開口を閉塞する状態において、重ね合わされて載置される大径円板体の外周縁部とファイバードラムのリング状部、さらにファイバードラムの外周部に当接する断面コ字形状のものとされ、外方より囲繞する状態でこれらの部分を緊締する緊締リングにより、その閉塞状態を保持させるものとし、この状態における緊締リングのファイバードラムの外周部に対する当接位置の下端に対し、ファイバードラムの上部開口の内周部に周接され、大径円板体の下面に対し垂下される環状体の外周側面部の下端位置が同等かそれ以上の下方に位置されるように、被着状態における大径円板体の下面に対し、垂下される環状体の首下長さＴ１を設定させることとしている。
【考案の効果】
【００１８】
本考案の請求項１によれば、紙蓋をファイバードラムの上部開口に被着し、大径円板体の外周縁部をファイバードラムの上部開口のリング状部上に対応させて載置し、大径円板体によりファイバードラムの全体を上方より被覆して上部開口を閉塞する状態において、大径円板体の下面に被着される環状体の部分が、ファイバードラムの上部開口に挿入され、該上部開口の内周部に環状体の外周側面部が面接触状態で周接可能となる。しかも環状体は、同じく大径円板体の下面に被着され、環状体の内周側面部とその外周部を周接可能とされる小径円板体により位置決めされる。よって、紙蓋をファイバードラムの上方に被着し、外力が加わった状態においても、紙蓋がファイバードラムから容易に脱落することがなく、確実な被着状態を保持することが可能となる。
【００１９】
加えて請求項２の考案によれば、大径円板体の外周縁部をファイバードラムの上部開口のリング状部上に対応させて載置し、大径円板体によりファイバードラムの全体を上方より被覆して上部開口を閉塞する状態において、重ね合わされて載置される大径円板体の外周縁部とファイバードラムのリング状部、さらにファイバードラムの外周部に当接する断面コ字形状のものとされ、外方より囲繞する状態でこれらの部分を緊締する緊締リングにより、その閉塞状態を保持させるものとし、この状態における緊締リングのファイバードラムの外周部に対する当接位置の下端に対し、ファイバードラムの上部開口の内周部に周接され、大径円板体の下面に対し垂下される環状体の外周側面部の下端位置が同等かそれ以上の下方に位置されるように、被着状態における大径円板体の下面に対し、垂下される環状体の首下長さＴ１を設定させることとしたため、緊締リングにより紙蓋が上部開口に対して被着された状態において、ファイバードラムに衝撃荷重が加わった状態においても、紙蓋は容易に脱落することもなく、確実な被着状態が保持されることとなる。
【図面の簡単な説明】
【００２０】
【図１】本考案の実施形態に係る紙蓋の成形過程を示す断面図である。
【図２】紙蓋の分解状態を示す斜視図である。
【図３】紙蓋をファイバードラムの上部開口に被着する状態を示す正面図である。
【図４】紙蓋をファイバードラムの上部開口に被着し、緊締リングで紙蓋およびリング状部を緊締した状態を示す断面図である。
【図５】従来、一般的に見られるファイバードラムの成形プロセスを示す斜視図である。
【図６】従来の紙蓋の成形プロセスを示す斜視図である。
【図７】紙蓋の正面図である。
【図８】従来の紙蓋をファイバードラムの上部開口に被着し、緊締リングで紙蓋およびリング状部を緊締した状態を示す断面図である。
【図９】従来の紙蓋をファイバードラムの上部開口に被着し、緊締リングで紙蓋およびリング状部を緊締した状態において、このファイバードラムについて落下テストを行う状態を示す斜視図である。
【考案を実施するための形態】
【００２１】
以下、本考案の実施形態を図１ないし図４に基づいて説明する。実施形態に係る紙蓋２０は、図５に示す成形プロセスに基づいて成形し、製造され、紙製円筒体４の上部開口２の縁部を、外巻きに曲げて形成されるリング状部３を備えたファイバードラム１の上部開口を閉塞可能とするものである。以下の説明において、ファイバードラム１の構成については、従来と同様であるため、その説明を省略し、各部については従来と同一符号をもって示すこととする。
【００２２】
紙蓋２０は、図５（Ｄ）に示す従来の紙蓋１０と同様に全体紙製の円板状からなり、図３に示すようにファイバードラム１の紙製円筒体４の上部開口２に対して矢印に示すように嵌合され、被着される。
【００２３】
紙蓋２０は、リング状部３を含むファイバードラム１の上部開口２の直径と略同等の直径Ｄ１からなる全体紙製の大径円板体２１を備え（図４参照）、その下面に図２に示すように全体紙製の円筒状からなる環状体２３と、環状体２３の内側において全体紙製の小径円板体２２を被着して構成される。
【００２４】
すなわち、環状体２３と小径円板体２２のそれぞれは、接着剤を用いて図４に示すように大径円板体２１の下面に被着され、被着状態において全体円板状をなすものとされる。環状体２３は円柱型にロール紙を巻回して形成された円筒材を上下所定長さになるよう切断して成形される。
【００２５】
環状体２３と小径円板体２２のそれぞれは、図１に示すようにその中心Ｏを大径円板体２１の中心Ｏに対応させるようにして、大径円板体２１の下面に対して同心円状に被着される。環状体２３は、図３に示すように大径円板体２１の下面に対して被着された状態において、大径円板体２１の下面に対して垂下される一定の首下長さＴ１を有するものとされる。すなわち、環状体２３は、図２に示すように外周側面部２４と内周側面部２５をそれぞれ備えた円筒状からなり、中心Ｏを通る外周側面部２４間の直径Ｄ２を、ファイバードラム１の上部開口２の内周部間の直径Ｄ２に対応させている（図３参照）。
【００２６】
すなわち、紙蓋２０は、図４に示すように大径円板体２１の外周縁部をファイバードラム１の上部開口２のリング状部３に対応させて載置し、大径円板体２１によりファイバードラム１の全体を上方より被覆して上部開口２を閉塞する状態において、環状体２３の部分がファイバードラム１の上部開口２に挿入され、外周側面部２４の部分が上部開口２の内周面に周接する状態で嵌合されることとなる。
【００２７】
さらに環状体２３の内側において、大径円板体２１の下面に被着される小径円板体２２は、環状体２３の中心Ｏを通る内周側面部２５間の直径Ｄ３と略同等の直径Ｄ３とされる（図１参照）。これにより、図３および図４に示すように大径円板体２１の下面に被着される状態において、同じく大径円板体２１の下面に被着される環状体２３の内周側面部２５とその外周部が周接可能となり、大径円板体２１の下面に被着される小径円板体２２により、環状体２３を大径円板体２１の下面において位置決めし、支持させることが可能となる。
【００２８】
このようにして成形し、製造される紙蓋２０は、従来の図５（Ｄ）に示す緊締リング１３を用いて、ファイバードラム１の上部開口２に被着し、閉塞した状態において、これを保持することが可能となる。すなわち、紙蓋２０が図４に示すように大径円板体２１の外周縁部をファイバードラム１の上部開口２のリング状部３に対応させて載置し、大径円板体２１によりファイバードラム１の全体を上方より被覆して上部開口２を閉塞する状態において、緊締リング１３を図４の２点鎖線に示す拡径状態から実線に示す縮径状態に操作し、紙蓋２０のファイバードラム１に対する被着状態を保持することが可能になる。
【００２９】
ここで図４の実線に示す緊締リング１３による緊締状態において、緊締リング１３は、重ね合わされて載置される大径円板体２１の外周縁部とファイバードラム１のリング状部３、さらにリング状部３の下方のファイバードラム１の外周部に当接する断面コ字形状のものとされる。すなわち、緊締リング１３は２点鎖線に示す状態から実線に示す状態に縮径することで、外方より囲繞する状態で、この断面コ字形状の部分でこれらの部分を緊締し、紙蓋２０の上部開口２に対する閉塞状態を保持可能とするものである。
【００３０】
ここで、図４の実線に示す閉塞状態を保持する緊締リング１３におけるファイバードラム１のリング状部３下方の外周部に対する当接位置の下端は、ファイバードラム１の上部開口２の内周部に周接され、大径円板体２１の下面に対し垂下される環状体２３の外周側面部の下端位置Ｌ１（図４参照）が同等かそれ以上の下方に位置されるように設定される。すなわち、図４に示す大径円板体２１の下面に対し垂下される環状体２３の下端位置が、紙蓋２０が上部開口２に被着され、これを閉塞して緊締リング１３により緊締させて保持する状態において、緊締リング１３のファイバードラム１のリング状部３下方の外周部に対する下端当接位置Ｌ１と同等か、それ以上の長さになるよう大径円板体２１の下面に対し垂下される環状体２３の首下長さＴ１を設定することが好ましい。
【００３１】
すなわち、環状体２３の大径円板体２１に対する首下長さＴ１をこのように長めに設定することにより、ファイバードラム１の上部開口２に被着され、嵌合される紙蓋２０における環状体２３の外周側面部２４と上部開口２の内周面との面接触による周接面積が大きくなる。これにより、図９に示すように緊締リング１３により紙蓋２０が上部開口２に緊締されたファイバードラム１を斜め４５度にした状態で、高さ１ｍの位置から落下する落下テストを実施した場合においても、紙蓋２０は開口２より容易に脱落しないことが確認された。
【００３２】
すなわち、上記実施形態に係るファイバードラム用の紙蓋２０によれば、外周側面部２４および内周側面部２５を備えた一定高さＴ１からなる環状体２３により、より強固にファイバードラム１の上部開口２に対する被着状態を得ることが可能となり、確実に上部開口２に対して被着可能な紙蓋の提供が可能となる。
【産業上の利用可能性】
【００３３】
以上のように、本考案に係る紙蓋２０は、ファイバードラム１の上部開口２に被着された状態で、該開口２から容易に脱落することがなく、内部に収容物を収容させた状態で、これに外力を加えても外れにくいので、食品、薬品などを安全に輸送、搬送できることとなる。
【符号の説明】
【００３４】
１                        ファイバードラム
２                        上部開口
３                        リング状部
４                        紙製円筒体
５                        開口
５ａ                      下部開口縁
６                        切り込み
７                        周縁片
８                        底上板
９                        底下板
１０ 、２０               紙蓋
１１、２１                大径円板体
１２、２２                小径円板体
１３                      緊締リング
１４                      緊締レバー
２３                      環状体
２４                      外周側面部
２５                      内周側面部
【図１】
0003151356.tif 000003
【図２】
0003151356.tif 000004
【図３】
0003151356.tif 000005
【図４】
0003151356.tif 000006
【図５】
0003151356.tif 000007
【図６】
0003151356.tif 000008
【図７】
0003151356.tif 000009
【図８】
0003151356.tif 000010
【図９】
0003151356.tif 000011